(57)【要約】【課題】紙葉類の真偽を、場所の制限を受けずに簡易に判定できるようにする。【解決手段】フラッシュ部１３の発光面の前方に紫外透過フィルタ１６が軸１７を中心にして回転可能に取り付けられている。被写体に紫外光のみを照射する場合には、紫外透過フィルタ１６フラッシュ部１３の発光面を遮蔽する位置（図１（Ｃ）に示す位置）に移動する。また、通常の撮影で、被写体に可視光を照射する場合には、紫外透過フィルタ１６がフラッシュ部１３の発光面を遮蔽しない位置（図１（Ｂ）に示す位置）に退避する。そして、紫外透過フィルタ１６により可視光をカットした蛍光画像を撮影し、その蛍光画像により紙葉類の真偽を判定する。【選択図】      図１
2005196627.tif 000002
【特許請求の範囲】
【請求項１】
フラッシュ部と該フラッシュ部を発光させて被写体に照射して撮像を行う撮像手段とを有するカメラであって、
前記フラッシュ部は、発光面に対して遮蔽または退避位置に移動可能な紫外透過フィルタを有し、
前記カメラは、
カメラの撮影モードを設定する撮影モード設定手段と、
前記撮影モード設定手段により偽券検知モードが設定された場合、レリーズ指示に応答して、前記紫外透過フィルタを前記フラッシュ部の発光面を遮蔽する位置に移動させる紫外透過フィルタ移動手段とを備え、
前記紫外透過フィルタが遮蔽位置に移動した後に、前記撮像手段により紙葉類に対してフラッシュ照射による撮像を行い、蛍光画像を得ることを特徴する偽券検知機能付きカメラ。
【請求項２】
フラッシュ部と該フラッシュ部を発光させて被写体に照射して撮像を行う撮像手段とを有するカメラであって、
前記撮像手段は、撮像面に対して遮蔽または退避位置に移動可能な赤外線透過フィルタを有し、
前記カメラは、
カメラの撮影モードを設定する撮影モード設定手段と、
前記撮影モード設定手段により偽券検知モードが設定された場合、レリーズ指示に応答して、前記赤外透過フィルタを前記撮像手段の撮像面を遮蔽する位置に移動させる赤外透過フィルタ移動手段と、
前記赤外透過フィルタが遮蔽位置に移動した後に、前記撮像手段により紙葉類に対してフラッシュ照射による撮像を行い、赤外画像を得ることを特徴とする偽券検知機能付きカメラ。
【請求項３】
前記得られた蛍光画像または赤外画像に基づいて、前記紙葉類が真券であるか、偽券であるかを判定する真偽判定手段をさらに有することを特徴とする請求項１または請求項２記載の偽券検知機能付きカメラ。
【請求項４】
前記紙葉類が真券であるか、偽券であるかを目視にて判定する場合は、前記蛍光画像のＲ，Ｇ，Ｂ各画像を切り換えて表示させて判定することを特徴とする請求項１記載の偽券検知機能付きカメラ。
【請求項５】
前記紙葉類が真券であるか、偽券であるかを目視にて判定する場合は、前記赤外画像を表示させて判定することを特徴とする請求項２記載の偽券検知機能付きカメラ。
【請求項６】
前記カメラは、レリーズの指示により、前記紫外透過フィルタが前記フラッシュ部の発光面を遮蔽した状態でのフラッシュ撮影に先立って、前記紫外透過フィルタが前記フラッシュ部の発光面から退避した状態でのフラッシュ撮影を行い、可視画像を得ることを特徴とする請求項１記載の偽券検知機能付きカメラ。
【請求項７】
前記カメラは、レリーズの指示により、前記赤外透過フィルタが前記撮像手段の撮像面を遮蔽した状態でのフラッシュ撮影に先立って、前記赤外透過フィルタが撮像面から退避した状態でのフラッシュ撮影を行い、可視画像を得ることを特徴とする請求項２記載の偽券検知機能付きカメラ。
【請求項８】
前記得られた可視画像により前記蛍光画像または赤外画像の位置を補正する紙葉類位置補正手段をさらに有することを特徴とする請求項６または７記載の偽券検知機能付きカメラ。
【請求項９】
前記紙葉類位置補正手段による位置補正後の取得画像が適正であるか否かを判断する取得画像位置適正判断手段と、
前記取得画像位置適正判断手段により紙葉類の取得画像の位置が不適正であると判断された場合に、警告を行う警告手段とをさらに有することを特徴とする請求項８記載の偽券検知機能付きカメラ。
【請求項１０】
レリーズ時の測距結果により、所定距離範囲内に紙葉類が存在しない場合に、警告を行う警告手段を有することを特徴とする請求項８記載の偽券検知機能付きカメラ。
【請求項１１】
前記警告がなされた場合は、撮影を禁止する禁止手段をさらに有することを特徴とする請求項１０記載の偽券検知機能付きカメラ。
【請求項１２】
前記偽券検知モードには、通貨またはその他選択メニューがあり、通貨かその他証券かを選択でき、選択した紙葉類の種類に応じて前記真偽判定のための判定基準が設定されることを特徴とする請求項１または２記載の偽券検知機能付きカメラ。
【請求項１３】
前記偽券検知モードには、金種選択メニューがあり、対象となる金種を選択でき、選択した紙葉類の金種に応じて前記真偽判定のための判定基準が設定されることを特徴とする請求項１または２記載の偽券検知機能付きカメラ。
【請求項１４】
前記偽券検知モードには、表裏選択メニューがあり、対象とする紙葉類の表裏を選択でき、選択した紙葉類の表裏に応じて前記真偽判定のための判定基準が設定されることを特徴とする請求項１または２記載の偽券検知機能付きカメラ。
【請求項１５】
前記真偽判定手段は、蛍光画像のＲ，Ｇ，Ｂの各画像の輝度値または輝度値の比を基準値と比較して真偽を判定することを特徴とする請求項３記載の偽券検知機能付きカメラ。
【請求項１６】
前記真偽判定手段は、赤外画像における赤外光の吸収部と非吸収部の輝度値に基づいて真偽を判定することを特徴とする請求項３記載の偽券検知機能付きカメラ。
【請求項１７】
カメラのフラッシュ部の発光面を遮蔽または非遮蔽状態にする紫外透過フィルタを設け、
紙葉類の撮影時に、前記紫外透過フィルタにより前記フラッシュ部の発光面を遮蔽し、
前記紫外透過フィルタで発光面を遮蔽した状態で、紙葉類に対してフラッシュ照射による撮像を行い蛍光画像を得ることを特徴するカメラを用いた偽券検知方法。
【請求項１８】
カメラの撮像面に対して遮蔽または退避位置に移動可能な赤外線透過フィルタを設け、
紙葉類の撮影時に、前記赤外透過フィルタを前記撮像手段の撮像面を遮蔽する位置に移動させ、
前記赤外透過フィルタが移動した後に、前記撮像手段により紙葉類に対してフラッシュ照射による撮像を行い、赤外画像を得ることを特徴とするカメラを用いた偽券検知方法。
【請求項１９】
前記得られた蛍光画像または赤外画像に基づいて、前記紙葉類が真券であるか、偽券であるかを判定することを特徴とする請求項１７または１８記載のカメラを用いた偽券検知方法。
【発明の詳細な説明】
【技術分野】
【０００１】
本発明は、偽券検知機能付きカメラ及びその偽券検知方法に関する。
【背景技術】
【０００２】
紙幣、証券等の紙葉類では偽造を防止するために紫外線を照射したときに、所定の色の蛍光反応を示す印刷が行われている。従来は、簡易的に偽券か否かを調べるため、市販の紫外ランプを紙葉類に照射し、目視で蛍光反応の有無を確認していた。
しかしながら、このような人間の目で判断する方法では、蛍光塗料を塗布したような偽券を検出することが困難である。
【０００３】
上記のような問題を解決するために、例えば、特許文献１には、波長の異なる複数種類の光を書類に照射して画像を撮影し、予め撮影してある本物の書類の撮影画像と比較することで真偽を判定する書類照合装置について記載されている。
【特許文献１】特開２００１−７６２０３号公報（図１，図３、段落００１６，段落００２０）
【発明の開示】
【発明が解決しようとする課題】
【０００４】
特許文献１に記載されている発明は、自動契約機において、顧客が提示した免許証や身分照明等の書類に可視光と赤外光を照射して真偽を判定するものであり、どこでも簡易に書類の真偽を判定できるものではない。
本発明の課題は、小売店やタクシー等などにおいて、紙幣、証券等の紙葉類の真偽を簡易に判定できるようにすることである。
【課題を解決するための手段】
【０００５】
本発明の偽券検知機能付きカメラは、フラッシュ部と該フラッシュ部を発光させて被写体に照射して撮像を行う撮像手段とを有するカメラであって、前記フラッシュ部は、発光面に対して遮蔽または退避位置に移動可能な紫外透過フィルタを有し、前記カメラは、カメラの撮影モードを設定する撮影モード設定手段と、前記撮影モード設定手段により偽券検知モードが設定された場合、レリーズ指示に応答して、前記紫外透過フィルタを前記フラッシュ部の発光面を遮蔽する位置に移動させる紫外透過フィルタ移動手段とを備え、前記紫外透過フィルタが遮蔽位置に移動した後に、前記撮像手段により紙葉類に対してフラッシュ照射による撮像を行い、蛍光画像を得る。
【０００６】
この発明によれば、紫外透過フィルタを透過したフラッシュの光を紙葉類に照射して蛍光画像を撮像することで、その蛍光画像から紙葉類の真偽を判定することができる。これにより、携帯可能なカメラを用いて偽券を検出できるので、小売店やタクシー等においても紙葉類の真偽を簡易に判定できる。
【０００７】
本発明の他の偽券検知機能付きカメラは、フラッシュ部と該フラッシュ部を発光させて被写体に照射して撮像を行う撮像手段とを有するカメラであって、前記撮像手段は、撮像面に対して遮蔽または退避位置に移動可能な赤外線透過フィルタを有し、前記カメラは、カメラの撮影モードを設定する撮影モード設定手段と、前記撮影モード設定手段により偽券検知モードが設定された場合、レリーズ指示に応答して、前記赤外透過フィルタを前記撮像手段の撮像面を遮蔽する位置に移動させる赤外透過フィルタ移動手段と、前記赤外透過フィルタが遮蔽位置に移動した後に、前記撮像手段により紙葉類に対してフラッシュ照射による撮像を行い、赤外画像を得る。
【０００８】
この発明によれば、カメラにより紙葉類の赤外画像を撮像し、その赤外画像に基づいて紙葉類の真偽を判定することができる。これにより、携帯可能なカメラを用いて偽券を検出できるので、小売店やタクシー等においても紙葉類の真偽を簡易に判定できる。
上記の発明において、前記得られた蛍光画像または赤外画像に基づいて、前記紙葉類が真券であるか、偽券であるか否かを判定する真偽判定手段をさらに有する。
【０００９】
このように構成することで、カメラの真偽判定手段が、撮像した蛍光画像または赤外画像に基づいて偽券であるか否かを判定するので、ユーザはカメラで紙葉類を撮影するだけで紙葉類が真券か、偽券かを知ることができる。
上記の発明において、前記紙葉類が真券であるか、偽券であるかを目視にて判定する場合に、前記蛍光画像のＲ，Ｇ，Ｂ各画像を切り換えて表示させて判定する。
【００１０】
このように構成することで、Ｒ画素からなる蛍光画像と、Ｇ画素からなる蛍光画像と、Ｂ画素からなる蛍光画像を切り換えて表示させることができるので、真券か、偽券かを目視で判定することができる。
上記の発明において、前記紙葉類が真券であるか、偽券であるかを目視にて判定する場合は、前記赤外画像を表示させて判定する。
【００１１】
このように構成することで、表示させた赤外画像を目視で確認して真券であるか、偽券であるかを判定することができる。
上記の発明において、前記カメラは、レリーズの指示により、前記紫外透過フィルタが前記フラッシュ部の発光面を遮蔽した状態でのフラッシュ撮影に先立って、前記紫外透過フィルタが退避した状態でのフラッシュ撮影を行い可視画像を得る。
【００１２】
このように構成することで、撮影した可視画像により紙葉類の撮影位置が適正か否かを予め判断できるので、紙葉類の真偽の判定を効率良く行うことができる。
上記の発明において、前記カメラは、レリーズの指示により、前記赤外透過フィルタが前記撮像手段の撮像面を遮蔽した状態でのフラッシュ撮影に先立って、前記赤外透過フィルタが退避した状態でのフラッシュ撮影を行い、可視画像を得る。
【００１３】
このように構成することで、撮影した可視画像から紙葉類の撮影位置が適正か否かを予め判断できるので、真偽の判定をより効率的に行うことができる。
上記の発明において、前記得られた可視画像により前記蛍光画像または赤外画像の位置を補正する紙葉類位置補正手段をさらに有する。
【００１４】
このように構成することで、可視画像の位置に基づいて蛍光画像または赤外画像の位置を補正することができるので、例えば、蛍光画像または赤外画像を真偽判定の基準となる基準画像の位置と一致させて判定精度を高めることができる。
上記の発明において、前記紙葉類位置補正手段による位置補正後の取得画像が適正であるか否かを判断する取得画像位置適正判断手段と、前記取得画像位置適正判断手段により、紙葉類の取得画像の位置が不適正であると判断された場合には、警告を行う警告手段とを、さらに有する。
【００１５】
このように構成することで、紙葉類の取得画像の位置が真偽を判定するのに不適正と判断された場合には、警告が行われるので、ユーザは、撮影位置を変更して適正な画像を撮影することができる。
上記の発明において、レリーズ時の測距結果により、所定距離範囲内に紙葉類が存在しない場合、警告を行う警告手段を有する。
【００１６】
このように構成することで、所定距離以上離れた状態で撮影しようとすると警告が行われるので、ユーザは適正な距離で紙葉類の蛍光画像または赤外画像を撮影することができる。
上記の発明において、前記警告がなされた場合は、撮影を禁止する禁止手段をさらに有する。
【００１７】
このように構成することで、撮影距離が適正でない場合には、撮影が禁止されるので、無駄な判定処理が行われるのを防止できる。
上記の発明において、前記偽券検知モードには、通貨またはその他選択メニューがあり、通貨かその他証券かを選択でき、選択した紙葉類の種類に応じて前記真偽判定のための判定基準が設定される。
【００１８】
このように構成することで、ユーザが通貨か、証券かを選択することで、選択した紙葉類の種類に応じた判定基準が設定されるので、通貨、あるいは証券の撮影画像を適正な判定基準と比較することができる。これにより紙葉類の真偽の判定精度を高めることができる。
【００１９】
上記の発明において、前記偽券検知モードには、金種選択メニューがあり、対象となる金種を選択でき、選択した紙葉類の金種に応じて前記真偽判定のための判定基準が設定される。
このように構成することで、通貨の金種を選択することで、選択した金種に応じた判定基準が設定されるので、通貨の真偽の判定精度をより高めることができる。
【００２０】
上記の発明において、前記偽券検知モードには、表裏選択メニューがあり、対象とする紙葉類の表裏を選択でき、選択した紙葉類の表裏に応じて前記真偽判定のための判定基準が設定される。
このように構成することで、撮影した面が紙葉類の表か、裏かを選択することで、適正な判定基準に基づいて紙葉類の真偽を判定することができ、真偽判定の判定精度を高めることができる。
【００２１】
上記の発明において、前記真偽判定手段は、蛍光画像のＲ，Ｇ，Ｂの各画像の輝度値または輝度値の比を基準値と比較して真偽を判定する。また、前記真偽判定手段は、赤外画像における赤外光の吸収部と非吸収部の輝度値に基づいて真偽を判定する。
このように構成することで、紙葉類の真偽をより正確に判定することができる。
【発明の効果】
【００２２】
本発明によれば、カメラで撮影した画像を用いて紙葉類の真偽を簡易に判定できる。また、カメラに組み込まれているのでどのような場所でも自由に使用できる。また、低コストの装置で紙葉類の真偽を判定できる。
【発明を実施するための最良の形態】
【００２３】
以下、本発明の実施の形態を図面を参照しながら説明する。図１（Ａ）は、本発明の実施の形態のカメラ１１の外観図であり、図１（Ｂ）及び（Ｃ）は、フラッシュ部１３の発光面を遮蔽状態、あるいは非遮蔽状態にする紫外透過フィルタ１６の状態を示す図である。
【００２４】
図１（Ａ）に示すように、カメラ１１は、正面の中央部に撮影レンズ１２を有し、正面左上部にフラッシュ部１３を有し、撮影レンズ１２の上方に測光センサ１４を有する。フラッシュ部１３はＸｅランプ等からなる。カメラ１１の上面左にはレリーズボタン１５を有する。
【００２５】
図１（Ｂ）及び（Ｃ）に示すように、フラッシュ部１３の発光面の前方には紫外透過フィルタ１６が軸１７を中心にして回転可能に取り付けられている。被写体に紫外光のみを照射する場合には、紫外透過フィルタ１６がフラッシュ部１３の発光面に対して遮蔽する位置（図１（Ｃ）に示す位置）に移動する。通常撮影時で、被写体に可視光を照射する場合には、紫外透過フィルタ１６がフラッシュ部１３の発光面に対して退避した位置（図１（Ｂ）に示す位置）に移動する。なお、紫外透過フィルタ１６の移動は、後述する紫外フィルタ駆動部のモータにより行われる。
【００２６】
図２は、カメラ１１内部の光学系の構造を示す図である。撮影レンズ１２から入射した光は、絞り２１と、赤外カットフィルタ２２または赤外透過フィルタ２３を通過し、レンズ２５を通ってＣＣＤ等からなる撮像素子２６で受光される。
赤外カットフィルタ２２は、赤外光をカットし、可視光を透過させる特性を有するフィルタであり、赤外透過フィルタ２３は、赤外光を透過し、可視光をカットする特性を有するフィルタであり、それらのフィルタは、フィルタ板２４に一体に取り付けられている。
【００２７】
フィルタ板２４は、モータ２７により、通常撮影時には、赤外カットフィルタ２２が撮像面を遮蔽する位置にくるように回転角度が制御され、赤外画像の撮影時には、赤外透過フィルタ２３が撮像面を遮蔽する位置にくるように回転角度が制御される。
ここで、紫外透過フィルタ１６と赤外透過フィルタ２３のフィルタ特性を、図３（Ａ）、（Ｂ）と図４を参照して説明する。
【００２８】
図３（Ａ）は、紫外透過フィルタ１６のフィルタ特性を示す図であり、図４は、赤外透過フィルタ２３のフィルタ特性を示す図であり、図３（Ｂ）は、ストロボ光の放出窓の材料別の分光強度特性を示す図である。
図３（Ａ）及び図４において、縦軸は光の透過率（％）を示し、横軸は波長（ｎｍ）を示している。また、図３（Ｂ）において、縦軸は光の放射強度（μｗ／ｃｍ2・ｎｍ）を示し、横軸は波長（ｎｍ）を示している。
【００２９】
図３（Ｂ）において、波長３００ｎｍ以下での放射強度が大きい特性は（図３（Ｂ）に実線で示す）合成石英ガラスをストロボの放射窓に使用した場合の特性を示し、波長３００ｎｍから放射強度が大幅に減少している特性はしょう珪酸ガラスを使用した場合の特性を示し、２００ｎｍ付近で減少している特性はＵＶガラスの特性を示している。本実施の形態では、フラッシュ部１３の放射窓は、合成石英ガラスを使用している。
【００３０】
紫外透過フィルタ１６は、図３（Ａ）に示すように、４００ｎｍ以上波長の光を阻止し、４００ｎｍ未満の紫外光を透過する特性を有している。
従って、紫外透過フィルタ１６でフラッシュ部１３の発光面を遮蔽すると、波長４００ｎｍ以下の紫外光のみが被写体に照射される。
【００３１】
赤外透過フィルタ２３は、図４に示すように、約７２０ｎｍ以下の波長の光を阻止し、それ以上の波長の赤外光を透過する特性を有している。
次に、図５は、カメラ１１の光学系と回路構成を示すブロック図である。図５において、ズームレンズ系３１は、図２に示す撮影レンズ１２，絞り２１、赤外カットフィルタ２２等からなる。レンズ駆動部３２は、レンズ駆動制御回路３３の制御に基づいてレンズを移動させる。
【００３２】
撮像素子２６は、ズームレンズ系３１を通過した光を電気信号に変換して撮像回路３４に出力する。撮像回路３４は、撮像素子２６の出力信号のノイズを低減させる処理、信号レベルに応じてゲインを制御するＡＧＣ（automatic gain control）処理等を行う。
Ａ／Ｄ変換回路３５は、撮像回路３４から出力されるアナログの画像信号をデジタルの画像データに変換してデータバス３６に出力する。データバス３６に出力された画像データはＤＲＡＭ等からなるＲＡＭ３７に格納される。
【００３３】
ＪＰＥＧ・ＭＰＥＧ圧縮伸張処理部３８は、画像データを、ＪＰＥＧ（Joint Photographic Experts Group）方式により圧縮または伸張する処理並びにＭＰＥＧ(Moving Picture Experts Group)方式により伸張する処理を行う。
制御部３９は、ＲＯＭ４０に格納されている制御プログラムに従って、画像処理、レンズの駆動制御、紫外透過フィルタ１６の駆動制御等の処理を実行する。
【００３４】
紫外フィルタ駆動制御回路４１は、モータ及び駆動機構からなる紫外フィルタ駆動部４２を駆動させて紫外透過フィルタ１６を、フラッシュ部１３の発光面を遮蔽する遮蔽位置、あるいは、フラッシュ部１３の発光面を遮蔽しない退避位置に移動させる。
赤外（ＩＲ）フィルタ駆動制御回路４３は、モータ及び駆動機構からなる赤外（ＩＲ）フィルタ駆動部４４を駆動させて赤外カットフィルタ２２または赤外透過フィルタ２３を撮影レンズ１２の光路上に移動させる。
【００３５】
ビデオエンコーダ４５は、撮影された画像データ、あるいはＲＡＭ３７に格納されている画像データを、ＬＣＤドライバ４６に出力して液晶表示部（ＬＣＤ）４７に表示させる。また、ビデオエンコーダ４５は、画像データをビデオアウト端子４８に出力する。
液晶表示部４７には、通常撮影モードでは撮影した画像が表示され、偽券検知モードでは、紙葉類の蛍光画像のＲ、Ｇ、Ｂの各画像、赤外画像、真偽の判定結果等が表示される。
【００３６】
操作部４９は、レリーズボタン１５と、図示しない撮影モードを切り換えるためのモード切り換えボタン、撮影した画像を表示させるための表示ボタン等からなる。操作部４９の各種のボタンの操作状態は制御部３９により検出され、制御部３９により対応する処理が実行される。
【００３７】
ストロボ発光部１３は、前述したフラッシュ部１３である。電源部５０は、モータ及び回路各部に電源電圧を供給する。電源部５０は、外部電源入力端子５１を有し、外部電源から電力を供給することもできる。
次に、以上のような構成のカメラ１１において、紙葉類（紙幣、証券など）の蛍光画像及び赤外画像を撮影する紙幣モード（偽券検知モード）の処理内容を、図６のフローチャートを参照して説明する。以下の処理は、カメラ１１の制御部１１により実行される。
【００３８】
最初に、液晶表示部４７に紙幣を撮影する際の目安となる位置を表示し（図６，Ｓ１１）、レリーズ待ち状態となる（図６，Ｓ１２）。
図７は、被写体の撮影位置の目安となる推奨紙幣位置を表示させた場合の一例を示す図である。液晶表示部４７には、推奨紙幣位置が波線で表示され、同じ画面上に被写体の紙葉類の位置が表示されるので、その表示から、紙葉類を適正な大きさ及び適正な画面上の位置で撮影しようとしているか否かをユーザが判断することができる。
【００３９】
図６に戻り、レリーズボタン１５が半押しされると、被写体までの距離を測定する（図６，Ｓ１３）。測定した被写体までの距離が、基準となる距離の上限値以下か、下限値以上か否かにより、被写体までの距離が適正か否かを判別する（図６，Ｓ１４）。
ステップＳ１４において、被写体距離が不適正と判断された場合には（Ｓ１４，ＮＯ）、ステップＳ１５に進み、紙幣位置が不適正であることを知らせるメッセージを液晶表示部４７に表示する。尚、紙幣位置が不適正であることを、図示しないブザー等の音声手段によって知らせることも可能である。
【００４０】
図８（Ａ）は、被写体までの距離が遠すぎる場合の警告表示の一例を示す図である。被写体が遠すぎる場合には、「被写体が遠すぎます、基準に合う様調整してください」とのメッセージが液晶表示部４７に表示される。また、現在の被写体の大きさと推奨紙幣位置が表示される。
【００４１】
次に、レリーズ禁止設定が有効となっているか否かを判別する（図６，Ｓ１６）。レリーズ禁止設定が有効となっている場合には（Ｓ１６，ＹＥＳ）、ステップＳ１１に戻る。レリーズ禁止設定が無効となっている場合には（Ｓ１６，ＮＯ）、ステップＳ１７に進む。すなわち、レリーズ禁止設定が有効になっている場合には、被写体までの距離が適正になるまでステップＳ１１〜Ｓ１６の処理が繰り返され、レリーズ禁止設定が無効となっている場合には、ユーザの判断で撮影距離の調整を行って撮影を継続することができる。
【００４２】
ステップＳ１４で被写体距離が適正と判別された場合（Ｓ１４，ＹＥＳ）、あるいは、レリーズ禁止設定が無効の場合には（Ｓ１６，ＮＯ）、レンズを駆動させてピントを合わせ（図６，Ｓ１７）、レリーズボタン１５の操作に応じて、可視光による通常画像を撮影する（図６，Ｓ１８）。
【００４３】
通常画像を取得したなら、次のステップＳ１９の紙幣位置補正処理を実行する。
ここで、図９のフローチャートを参照して、図６のステップＳ１９の紙幣位置補正処理の内容を説明する。
最初に、可視光画像の水平エッジ強調処理を実行し（図９、Ｓ４１）、紙幣の水平エッジ位置を抽出する（図９，Ｓ４２）。
【００４４】
次に、可視光画像の垂直エッジ強調処理を実行し（図９，Ｓ４３）、紙幣の垂直エッジ位置を抽出する（図９，Ｓ４４）。
これらの処理により、紙幣の水平方向のエッジと垂直方向のエッジが抽出される。
次に、紙幣の水平エッジと垂直エッジの交点を計算し、紙幣の４隅の頂点の座標を計算する（図９，Ｓ４５）。さらに、紙幣の４頂点の座標から紙幣の傾き、重心位置を計算し、紙幣の大きさから基準となる紙幣の大きさに対する倍率を計算する（図９，Ｓ４６）。
【００４５】
図６に戻り、ステップＳ１９の紙幣位置補正処理が終了したなら、次のステップＳ２０において、取得画像が適正か否かを判別する。
ステップＳ２０において、取得画像が不適正と判別された場合には（Ｓ２０、ＮＯ）、ステップＳ２１に進み、紙幣位置不適正表示を行う。この処理では、例えば、紙幣の傾き角が所定値以上の場合に不適正である旨のメッセージを表示する。
【００４６】
紙幣位置不適正表示を行った後、レリーズ禁止設定が有効か否かを判別する（図６，Ｓ２２）。この処理は、上記のステップＳ１６の処理と同じである。
取得画像が適正な場合（Ｓ２０，ＹＥＳ）またはレリーズ禁止設定が無効の場合には（Ｓ２２，ＮＯ）、ステップＳ２３に進み、撮像素子（イメージャ）２６の前方の光路上にある赤外カットフィルタ２２を退避させ、さらに、赤外透過フィルタ２３を撮像素子２６を遮蔽する位置に移動させる。
【００４７】
次に、赤外画像を撮影し（図６，Ｓ２４）、その後、赤外透過フィルタ２３を退避状態にし、赤外カットフィルタ２２を元の位置、つまり撮像素子２６の光路上に戻す（図６，Ｓ２５）。
上記ステップＳ２３〜Ｓ２５の処理により紙幣の赤外画像を撮影することができる。
【００４８】
次に、紫外透過フィルタ１６をフラッシュ部１３の発光面を遮蔽する位置に移動させ（図６，Ｓ２６）、その状態でカラー画像（蛍光画像）を撮影する（図６，Ｓ２７）。その後、紫外透過フィルタ１６をフラッシュ部１３の発光面を遮蔽しない位置に退避させる（図６，Ｓ２８）。
【００４９】
上記のステップＳ２６〜Ｓ２８の処理により、紙幣の蛍光画像を撮影することができる。
次のステップＳ２９において、赤外画像に基づいて紙幣の真偽を判定し、次のステップＳ３０において、蛍光画像に基づいて紙幣の真偽を判定する。
【００５０】
赤外画像及び蛍光画像による真偽の判定が終了したなら、次のステップＳ３１で判定結果を液晶表示部４７に表示する。
次に、表示ボタン（操作部４９のボタン）がオンされたか否かを判別する（図６，Ｓ３２）。偽券検知モードにおいて、表示ボタンがオンされた場合には（Ｓ３２，ＹＥＳ）、ステップＳ３３に進み、そのとき判定結果を表示していたなら、赤外画像を表示し、赤外画像を表示していたなら、蛍光画像のＲ（赤）画素からなるＲ画像を表示する。また、Ｒ画像を表示しているときに、表示ボタンがオンされた場合には、Ｇ（緑）画素からなるＧ画像を表示し、Ｇ画像を表示している状態で、表示ボタンがオンされたときには、Ｂ（青）画素からなるＢ画像を表示する。さらに、Ｂ画像を表示しているときに、表示ボタンがオンされたときには、紙幣の真偽の判定結果を表示する。
【００５１】
表示ボタンがオンされていないとき、あるいはステップＳ３３の次には、ステップＳ３４に進み、キャンセルボタン（操作部４９のボタン）がオンされたか否かを判別する。キャンセルボタンがオンされたなら、そこで処理を終了する。キャンセルボタンがオンされていないときには、Ｓ３２に戻る。
【００５２】
ここで、図６のステップＳ２９の赤外画像による紙幣の真偽判定処理を、図１０のフローチャートを参照して説明する。
紙幣の赤外画像をアフィン変換により正規化する（図１０，Ｓ５１）。次に、選択されている紙幣の通貨の種類、金種、方向に基づいて真偽の判定に使用するエリア、例えば、紙幣の赤外吸収有り部と赤外吸収無し部とからなるエリアを特定する（図１０，Ｓ５２）。
【００５３】
図１１は、真偽判定を行う際の通貨選択画面を示す図である。通貨選択画面には、日本円、ＵＳドル、ユーロの３種類の通貨が表示されるので、ユーザは、真偽判定の対象となる通貨を選択する。通貨が選択されると、次に金種が表示されるので、金種を選択し、さらに紙幣の方向が表か、裏かを選択する。通貨の選択が終了すると、選択された通貨の真偽判定の基準値がメモリ等から読み出される。
【００５４】
図１０に戻り、次に、赤外画像の赤外吸収無し部の輝度値Ｂnoを算出し（図１０，Ｓ５３）、赤外吸収有り部の輝度値Ｂを算出する（図１０、Ｓ５４）。
さらに、選択されている紙幣の通貨の種類、金種、方向により定まる紙幣の真偽判定の基準値Threを設定する（図１０，Ｓ５５）。
【００５５】
赤外画像の赤外吸収無し部の輝度値Ｂnoと赤外吸収有り部の輝度値Ｂとの比Ｂno／Ｂが、基準値Threより大きいか否かを判別する（図１０，Ｓ５６）。
図１２は、赤外光が吸収されない部分を有する紙葉類（紙幣など）の真券とそのコピー券を示す図であり、図１２（ａ）は、真券の赤外画像を示し、図１２（ｂ）は、コピー券の赤外画像を示している。
【００５６】
図１２（ａ）の真券の場合には、直方体の左半分の部分は赤外光を吸収しないように作られているので白い画像となり輝度が高くなり、右半分の部分は赤外光を吸収するように作られているのでそれより輝度が低くなる。
これに対して、図１２（ｂ）のコピー券の場合には、赤外光に対して直方体全体が同じ反射特性を有するので、赤外画像として、直方体の左半部の部分の輝度と右半部の部分の輝度は等しくなる。
【００５７】
従って、真券の場合は、赤外吸収無し部の輝度値Ｂonと吸収有り部の輝度値Ｂとの比Ｂno／Ｂは、所定の基準値Threより大きくなり、コピー券の場合は、赤外吸収無し部の輝度値と吸収有り部の輝度値の比Ｂno／Ｂは、基準値Threより小さくなる。
図１０のステップＳ５６において、赤外吸収無し部の輝度値Ｂonと吸収有り部の輝度値Ｂの比Ｂno／Ｂが基準値Threより大きいと判別された場合には（Ｓ５６，ＹＥＳ）、ステップＳ５７に進み、その紙幣は真券と判定する。
【００５８】
他方、ステップＳ５６において、赤外吸収無し部の輝度値Ｂonと吸収有り部の輝度値Ｂとの比Ｂno／Ｂが基準値Thre以下と判別された場合には（Ｓ５６，ＮＯ）、ステップＳ５８に進み、その紙幣を偽札と判定し、判定はＮＧとなる。
次に、図６のステップＳ３０の蛍光画像による真偽判定処理を、図１３のフローチャートを参照して説明する。
【００５９】
最初に、蛍光画像をアフィン変換により正規化する（図１３，Ｓ６１）。次に、選択されている紙幣、つまり真偽判定の対象となる紙幣の通貨の種類（円、ドル、ユーロ紙幣）と金種と紙幣の方向に基づいて判定に使用するエリアを設定する（図１３，Ｓ６２）。このエリアの設定では、例えば、予め分かっている蛍光画像が得られる紙幣の領域を特定する。
【００６０】
次に、判定エリア内の蛍光画像のＢ（青）画素の平均輝度値と、Ｇ（緑）画素の平均輝度値との比Ｒbgを算出する（図１３，Ｓ６３）。
次に、判定エリア内の蛍光画像のＧ画素の平均輝度値とＲ（赤）画素の平均輝度値との比Ｒgrを算出する。
【００６１】
次に、判定エリア内の蛍光画像のＢ画素の平均輝度値とＲ画素の平均輝度値との比Ｒbrを算出する（図１３，Ｓ６５）。
真偽判定の対象として選択されている紙幣の通貨の種類と金種と紙幣の方向により定まる真偽判定の基準値Thre１〜３を設定する（図１２，Ｓ６６）。
【００６２】
そして、蛍光画像のＢ画素とＧ画素の平均輝度値の比Ｒbgが第１の基準値Thre１未満か否かを判別する（図１３，Ｓ６７）。
Ｂ画素とＧ画素の平均輝度値の比Ｒbgが第１の基準値Thre１以上であると判別されたときには（Ｓ６７，ＮＯ）、ステップＳ７１に進み、その紙幣は偽券と判定する。
【００６３】
ここで、Ｂ画素とＧ画素の平均輝度値の比Ｒbgが第１の基準値Thre１以上のとき偽券と判定しているのは、次の理由からである。
円紙幣の場合、蛍光画像のＧ画素の輝度が最も高くなることが分かっているので、真券の場合には、Ｂ画素とＧ画素の平均輝度値の比Ｒbgは第１の基準値Thre１未満となる。従って、Ｂ画素とＧ画素の平均輝度値の比Ｒbgが第１の基準値Thre１以上と判定されたときには、その紙幣は偽券と判定している。
【００６４】
ステップＳ６７において、Ｂ画素とＧ画素の平均輝度値の比Ｒbgが第１の基準値Thre１未満であると判別されたときには（Ｓ６７，ＹＥＳ）、ステップＳ６８に進み、蛍光画像のＢ画素とＲ画素の平均輝度値の比Ｒbrが第２の基準Thre２未満か否かを判別する。
平均輝度値の比Ｒbrが第２の基準Thre２以上であると判別されたときには（Ｓ６８，ＮＯ）、ステップＳ７１に進み、上記と同様の理由で、その紙幣は偽券と判定する。
【００６５】
ステップＳ６８において、Ｂ画素とＲ画素の平均輝度値の比Ｒbrが第２の基準Thre２未満であると判別されたときには（Ｓ６８，ＹＥＳ）、ステップＳ６９に進み、Ｇ画素とＲ画素の平均輝度値の比Ｒgrが第３の基準値Thre３より大きいか否かを判別する。
Ｇ画素とＲ画素の平均輝度値の比Ｒgrが第３の基準値Thre３より大きいときには（Ｓ６９，ＹＥＳ）、ステップＳ７０に進み、その紙幣を真札と判定する。Ｇ画素とＲ画素の平均輝度値の比Ｒgrが第３の基準値Thre３以下のときには（Ｓ６９，ＮＯ）、その紙幣は偽券と判定する。
【００６６】
図８（Ｂ）は、真偽判定結果の表示の一例を示す図である。図８（Ｂ）は、判定結果が真で、通貨の種類が日本円、金種が１０００円、判定した面が表面であることを示している。
図１４は、紫外線を照射したときの紙幣（紙葉類）の蛍光反応部を示す図である。円紙幣の１０００円札及び５０００円札では、紫外線を照射すると、紙幣の特定の部分が蛍光を発するように作成されているので、例えば、カメラ１１で撮影した蛍光画像の特定の位置の輝度が基準値以上となっているか否かにより真偽を判定することができる。
【００６７】
上述した実施の形態によれば、カメラ１１で紙葉類（紙幣、証券など）の赤外画像または蛍光画像を撮影し、それらの画像の輝度値と基準値とを比較することで、紙葉類の真偽を簡易に判定することができる。また、カメラ１１に真偽判定機能を設けたので、使用場所が制限されず、屋内でも、屋外でもどこでも使用できる。また、カメラ１１を使用しているので装置のコストも安くできる。
【００６８】
真偽判定をカメラ１１が行う場合でも、判定に使用した赤外画像及びＲ，Ｇ，Ｂの蛍光画像を表示させることにより、どのような画像を偽札と判定したかをユーザが目で確認できるという効果も得られる。
さらに、撮影した蛍光画像のＲ，Ｇ，Ｂの各画像、あるいは赤外画像をカメラ１１の表示部に表示させ、ユーザがそれらの画像を見て紙葉類の真偽を判定するようにしても良い。その際、真偽の判定の参考となるような真券の蛍光画像、赤外画像を表示させるようにしても良い。
【００６９】
本発明は、上述した実施の形態に限らず以下のように構成しても良い。
実施の形態は、モータにより紫外透過フィルタ１６を回転させて位置を移動させているが、上下方向、あるいは左右方向に移動させる構造でも良い。
また、赤外透過フィルタ２３と赤外カットフィルタ２２は同じフィルタ板に取り付ける構造に限らず、それぞれ別の部材にして、それぞれを移動させても良い。
【００７０】
さらに、蛍光画像及び赤外画像による真偽の判定は、輝度値、或いは輝度値の比を比較する方法に限らず、画像のパターンの比較、輝度分布等を比較しても良い。
【図面の簡単な説明】
【００７１】
【図１】実施の形態のカメラの外観図である。
【図２】カメラの光学系の構造を示す図である。
【図３】紫外透過フィルタの特性とストロボ光の分光強度特性を示す図である。
【図４】赤外透過フィルタの特性を示す図である。
【図５】カメラのブロック図である。
【図６】紙幣モードの処理を示すフローチャートである。
【図７】紙幣の位置の表示状態を示す図である、
【図８】図８（Ａ）は警告表示の一例、図８（Ｂ）は真偽判定結果の表示の一例を示す図である。
【図９】紙幣位置補正処理のフローチャートである。
【図１０】赤外画像真偽判定処理のフローチャートである。
【図１１】通貨選択画面の一例を示す図である。
【図１２】赤外吸収特性の説明図である。
【図１３】蛍光画像真偽判定処理のフローチャートである。
【図１４】紙幣の蛍光画像の説明図である。
【符号の説明】
【００７２】
１１      カメラ
１２      撮影レンズ
１３      フラッシュ部
１４      測光センサ
１５      レリーズボタン
１６      紫外透過フィルタ
２２      赤外カットフィルタ
２３      赤外透過フィルタ
２６      撮像素子
２７      赤外フィルタ駆動部
３９      制御部
４１      紫外フィルタ駆動制御回路
４２      紫外フィルタ駆動部
４３      赤外フィルタ駆動制御回路
４４      赤外フィルタ駆動部
４７      液晶表示部
４９      操作部
【図１】
2005196627.tif 000003
【図２】
2005196627.tif 000004
【図３】
2005196627.tif 000005
【図４】
2005196627.tif 000006
【図５】
2005196627.tif 000007
【図６】
2005196627.tif 000008
【図７】
2005196627.tif 000009
【図８】
2005196627.tif 000010
【図９】
2005196627.tif 000011
【図１０】
2005196627.tif 000012
【図１１】
2005196627.tif 000013
【図１２】
2005196627.tif 000014
【図１３】
2005196627.tif 000015
【図１４】
2005196627.tif 000016